(57)【要約】  【課題】照明具と対面する棚板の木口面以外の木口面から漏れ出る光があっても、その漏れ出る光で眩しくなるといった不具合が発生せず、また、漏れ出る光を遮るためにのみ用いる無駄な部材を必要とせず、さらには、棚板に支持した物品が所謂逆光を受けたときのような状態になることを防ぐことができるといった優れた発光棚装置を提供する。  【解決手段】外部にある光源４１の光を、その光源４１に対面している木口面である光源対面木口面２１ａ１から内部に導光するとともに、内部に導光した光を、支持している物品Ｐに対して棚面２ｕから照光し得るようにした面板状の棚板２を少なくとも備えて成る発光棚装置Ｚであって、棚板２の光源４１に対面していない木口面である光源非対面木口面から漏れ出る光Ｊ１を反射させるべく、その光源非対面木口面２１ｂ１と対向させて反射面６１１乃至６１３を設けると共に、この反射面が前記光源非対面木口面２１ｂ１に対して成す角度や距離を、変更可能に構成した。【選択図】図１
2006073384.tif 000002
【特許請求の範囲】
【請求項１】
外部にある光源の光を、その光源に対面している木口面である光源対面木口面から内部に導光するとともに、内部に導光した光を、支持している物品に対して棚面から照光し得るようにした面板状の棚板を少なくとも備えて成る発光棚装置であって、
棚板の光源に対面していない木口面である光源非対面木口面から漏れ出る光を反射させるべく、その光源非対面木口面と対向させて反射面を設けると共に、
この反射面が前記光源非対面木口面に対して成す角度を、変更可能に構成していることを特徴とする発光棚装置。
【請求項２】
複数の異なる反射面を備えるものであって、
これら複数の反射面の中から選択した反射面により、前記漏れ出る光を反射するように構成していることを特徴とする請求項１記載の発光棚装置。
【請求項３】
前記複数の異なる反射面が、平面形状の反射面と、凸面形状の反射面と、凹面形状の反射面との３つの反射面であることを特徴とする請求項２記載の発光棚装置。
【請求項４】
前記３つの反射面を、各三角柱面それぞれに対応させて設けた略三角柱状の反射部と、
この反射部を、三角柱の軸芯回りに回動可能に支持する回動支持部とを備え、
前記反射部を前記回動支持部の回動軸回りに回動させて、漏れ出る光を反射する反射面を選択するようにしたことを特徴とする請求項３記載の発光棚装置。
【請求項５】
前記反射面を設けた反射部と前記棚板との間に介在し、前記反射部を、前記光源非対面木口面に対して接離移動可能に支持する支持部を具備することを特徴とする請求項１乃至４いずれか記載の発光棚装置。
【請求項６】
前記支持部が、前記反射部を、前記光源非対面木口面に対してスライド移動可能に支持するものであることを特徴とする請求項５記載の発光棚装置。
【請求項７】
前記支持部が、前記光源非対面木口面の少なくとも一部を隠蔽しつつ前記棚板の縁部を挟持しながら、その縁部をスライド移動する断面視略コ字状のスライド部を備えていることを特徴とする請求項６記載の発光棚装置。
【請求項８】
前記反射面を設けた反射部と、
この反射部の反棚板側をカバーするカバー部とを具備していることを特徴とする請求項１乃至７いずれか記載の発光棚装置。
【請求項９】
前記反射面の向きを、前記棚板の上方及び下方のうち少なくとも一方に向け得るように構成していることを特徴とする請求項１乃至８いずれか記載の発光棚装置。
【請求項１０】
上下に配した各棚板のうち、上側の棚板に対して設けた反射面で反射する反射光が、下側の棚板に載置する物品に対して照射されるように、上側の棚板に対して設けた反射面の向きを変更可能に構成していることを特徴とする請求項１乃至９いずれか記載の発光棚装置。
【発明の詳細な説明】
【技術分野】
【０００１】
本発明は、化粧品や文具等の物品を棚面全体から照明する上で有用となる発光棚装置に関するものである。
【背景技術】
【０００２】
従来から、この種の発光棚装置として、導光板を有した棚板と、この棚板の後端に沿って設けた横架材と、この横架材の内部に収容されて前記棚板に光を導入する照明具とを具備し、横架材及び棚板の左右両端をブラケットを介して什器本体に支持させるようにしたものが知られている（例えば、特許文献１参照。）。
【特許文献１】実開平６−３８１１７号公報
【発明の開示】
【発明が解決しようとする課題】
【０００３】
しかしながら、このようなものでは、棚板の内部に導光した光が棚面から放射されて物品を照明し得るものの、照明具と対面する棚板の木口面以外の木口面からも漏れ出る光として放射されるため、例えば、棚板に載置されている物品を見た際に、漏れ出る光が眩しすぎ、場合によっては物品が見難くなるといった不具合が生じる場合がある。そして、これを改善するために、光が漏れ出る木口面に遮光テープを施したとしても、無駄な費用や無用な手間が掛かってしまうといった問題点を有している。
【０００４】
また、物品に当たる光が棚面から放射される光だけでは、物品を前側から見ると陰になり、いわゆる逆光を受けたときのような状態になる等の不具合が生じる場合もある。
【０００５】
本発明は、このような課題に着目してなされたものであって、主たる目的は、照明具と対面する棚板の木口面以外の木口面から漏れ出る光があっても、その漏れ出る光で眩しくなるといった不具合が発生せず、また、漏れ出る光を遮るためにのみ用いる無駄な部材を必要とせず、さらには、棚板に支持した物品が所謂逆光を受けたときのような状態になることを防ぐことができるといった優れた発光棚装置を提供することにある。
【課題を解決するための手段】
【０００６】
すなわち、本発明の発光棚装置は、外部にある光源の光を、その光源に対面している木口面である光源対面木口面から内部に導光するとともに、内部に導光した光を、支持している物品に対して棚面から照光し得るようにした面板状の棚板を少なくとも備えて成る発光棚装置であって、棚板の光源に対面していない木口面である光源非対面木口面から漏れ出る光を反射させるべく、その光源非対面木口面と対向させて反射面を設けると共に、この反射面が前記光源非対面木口面に対して成す角度を、変更可能に構成していることを特徴とする。
【０００７】
ここで、「木口面」とは、例えば、平面視略矩形状の棚板であればその側面及び端面を言い、また、扁平した略円柱形状の棚板であればその円柱面を言うなど、棚面と直交して配される面を言うに加え、棚面に対して所定角度を成して配される面をも含めて言うものとする。
【０００８】
このようなものであれば、光源非対面木口面から漏れ出る光は、反射面で反射されるため、その漏れ出る光で眩しくなることを抑制できる。そして、反射面を棚板に支持している物品に対して向ければ、物品に対して照射される光が増えるだけでなく、棚面から放射される光と異なる方向から照射されるので、逆光を受けたときの状態になることを大幅に抑制できる。すなわち、漏れ出る光を遮るためにのみ用いるような部材を不必要としながらも、漏れ出る光で眩しくなることを抑制できる上、物品に対して照射される光を増やしてその物品が逆光を受けたときの状態になることを好適に抑制しつつ、物品を有効に照明することができるといった、優れた発光棚装置を提供することができる。
【０００９】
なお、漏れ出る光を様々な態様で、物品に対して照射するには、複数の異なる反射面を備えるものであって、これら複数の反射面の中から選択した反射面により、前記漏れ出る光を反射するように構成していることが望ましい。このときの複数の異なる反射面の具体的な態様としては、平面形状の反射面と、凸面形状の反射面と、凹面形状の反射面との３つの反射面であるものが挙げられる。
【００１０】
そして、簡単な構成でありながらも、漏れ出る光を様々な態様で、物品に対して照射し得るようにするには、前記３つの反射面を、各三角柱面それぞれに対応させて設けた略三角柱状の反射部と、この反射部を、三角柱の軸芯回りに回動可能に支持する回動支持部とを備え、前記反射部を前記回動支持部の回動軸回りに回動させて、漏れ出る光を反射する反射面を選択するようにしていることが好ましい。
【００１１】
また、漏れ出る光を、物品に近い位置から照射したり遠い位置から照射するには、前記反射面を設けた反射部と前記棚板との間に介在し、前記反射部を、前記光源非対面木口面に対して接離移動可能に支持する支持部を具備することが好ましく、この場合、前記支持部が、前記反射部を、前記光源非対面木口面に対してスライド移動可能に支持するものであることが望ましい。そして、前記スライド移動を具体的に実現するには、前記支持部が、前記光源非対面木口面の少なくとも一部を隠蔽しつつ前記棚板の縁部を挟持しながら、その縁部をスライド移動する断面視略コ字状のスライド部を備えていることが好ましい。
【００１２】
ところで、前記反射面を設けた反射部と、この反射部の反棚板側をカバーするカバー部とを具備しているのであれば、漏れ出る光のうち、反射面で反射されない光で無用に眩しくなることを防ぐことができる。
【００１３】
また、前記反射面の向きを、前記棚板の上方及び下方のうち少なくとも一方に向け得るように構成しているものであれば、光源非対面木口面から漏れ出る光を、棚板の棚面に載置している物品や、棚板の下側に吊るした物品に対して反射面で反射して照射し得る。
【００１４】
物品をより明るく照明するには、上下に配した各棚板のうち、上側の棚板に対して設けた反射面で反射する反射光が、下側の棚板に載置する物品に対して照射されるように、上側の棚板に対して設けた反射面の向きを変更可能に構成していることが望ましい。
【発明の効果】
【００１５】
以上説明したように本発明の発光棚装置によれば、光源非対面木口面から漏れ出る光は、反射面で反射されるため、その漏れ出る光で眩しくなることを抑制できる。そして、反射面を棚板に支持している物品に対して向ければ、物品に対して照射される光が増えるだけでなく、棚面から放射される光と異なる方向から照射されるので、逆光を受けたときの状態になることを大幅に抑制できる。すなわち、漏れ出る光を遮るためにのみ用いるような部材を不必要としながらも、漏れ出る光で眩しくなることを抑制できる上、物品に対して照射される光を増やしてその物品が逆光を受けたときの状態になることを好適に抑制しつつ、物品を有効に照明することができるといった、優れた発光棚装置を提供することができる。
【発明を実施するための最良の形態】
【００１６】
以下、本発明の一実施形態を、図面を参照して説明する。
【００１７】
本発明に係る発光棚装置Ｚは、図１等に示すように、自立性を有した什器本体１に発光機能のある棚板２を取り付けて構成されるもので、棚板２と、この棚板２の後縁部２ａに沿って設けた横架材３と、この横架材３の内部に収容されて前記棚板２に光を導入する照明具４とを具備し、横架材３及び棚板２をブラケット５を介して什器本体１に支持させるに加え、前記棚板２の前縁部２ｂから漏れ出る光Ｊ１（図４等参照。）を反射可能な反射部６１を備えた反射ユニット６を、その棚板２の前縁部２ｂに沿って具備するようにしたものである。以下、具体的に説明する。
【００１８】
什器本体１は、一対の支柱１１、ベース及び上下の枠材（共に図示せず）を具備している。
【００１９】
支柱１１は、長手方向に所定ピッチでフック孔１１ａを開口させてなるもので、左右の支柱１１はフック孔１１ａの位置が整合しており、下端部間及び上端部間が上下の枠材（図示せず）によって接合されている。本実施形態では、左右の支柱１１のピッチを９００ｍｍとしているが、例えば、６００ｍｍとする等、支柱１１間のピッチは適宜設定可能である。
【００２０】
棚板２は、図１等に示すように、平面視略矩形状を成すものであって、巾寸法Ｗに、支柱１１間の距離と略対応する寸法（９００ｍｍ）を有するとともに、奥行きＤに２１０ｍｍの寸法を有してなり、また、図２（ａ）〜（ｃ）に模式的に示すように、導光板２１を主体として構成されるものである。同図（ａ）は導光板２１の斜視図であり、（ｂ）はそのＡ−Ａ線拡大断面図、（ｃ）はそのＢ−Ｂ線拡大断面図である。導光板２１は、透光性を有するアクリル板２１ａと、このアクリル板２１ａの上面にハードコート加工により形成した傷防止のための保護層２１ｂとを具備するもので、アクリル板２１ａの下面に、後述する発光体４１からの光の進行方向と平行に所定間隔でＶ字溝２１ｖが設けてあり、このＶ字溝２１ｖが光りを拡散させる作用をなす。すなわち、アクリル板２１ａの光源対面木口面たる後端面２１ａ１に光が導入されると、光はアクリル板２１ａの板厚内を前端に向かって直進する。この間、アクリル板２１ａを通過する一部の光が、アクリル板２１ａから抜け出る際にＶ字溝２１ｖの拡散作用で棚板２の上向き面たる棚面２ｕに光を拡散させる。よって、この実施形態は棚板２の棚面２ｕに載置された物品Ｐを下から照明する機能を有する。
【００２１】
なお、Ｖ字溝２１ｖをアクリル板２１ａの上面側に設けるようにしてもよい。この場合には、Ｖ字溝２１ｖの上側に保護シート（図示せず）を設けて、Ｖ字溝２１ｖを保護するように構成すれば、Ｖ字溝２１ｖの耐久性を向上できる。又は、これらを組み合わせれば、１つの棚板２の上下両面から光を導出する構造も容易に採用することができる。
【００２２】
また、Ｖ字溝２１ｖを、発光体４１からの光の進行方向と直交又は傾けて設けることもできるが、棚面２ｕの全面を平均して発光させる場合には、上述した様に、光の進行方向と平行に設けることが望ましい。
【００２３】
横架材３は、図１、図３等に示すように、押し出し材よりなる中空体状の第１部材３１及び第２部材３２を、ジョイント材３３を介して上下に接合したもので、第１部材３１は、横架材３の長手方向略全域に亘り配され、第２部材３２は、横架材３の両端側の端部領域Ｘを除く中間領域Ｙに配される。そして、前記端部領域Ｘが形成された範囲において、ブラケット５による支持位置を巾方向に沿って選択できる。
【００２４】
前記第１部材３１内は、図３に示すように、発光体収容空間Ｓ１として設定されており、アパーチャ管等の発光体４１を差し込む電極を供えたコネクタＣを所定距離を隔てて対向配置している。この第１部材３１は、部材本体の頂壁の一部が、後端側に形成したヒンジＨを介して開閉可能な蓋３１ｂとされ、開放することによって発光体４１の着脱を行い得るものである。
【００２５】
発光体収容空間Ｓ１は、前述したように第１部材３１に設けた蓋３１ｂによって開閉可能とされたもので、第１部材３１には、図３に示すように蓋３１ｂを閉じた状態で略全巾に亘り前記発光体収容空間Ｓ１を棚板２側に開放するスリット３１ａが形成されている。
【００２６】
また、前記第２部材２内は、図３に示すように、補助空間Ｓ２として設定されている。この補助空間Ｓ２には、照明具４を構成するインバータ等の安定器４２を収容するために必要な内寸が確保されている。
【００２７】
照明具４は、アパーチャ管等の光源たる発光体４１とインバータなどの安定器４２とを少なくとも備えているのは上記の通りであるが、これ以外の部品等を備える場合には、補助空間Ｓ２内に収容するようにする。
【００２８】
発光体４１は、横架材３の発光体収容空間Ｓ１に配置したコネクタＣ、Ｃ間に挿脱される。蓋３１ｂを開けて発光体４１を挿入し、蓋３１ｂを閉じると、発光体４１は図６に示すように前記第１部材３１のスリット３１ａに臨む部位に位置づけられる。発光体４１と安定器４２は、図示しない結線を通じて接続され、安定器４２を介して発光体４１にゆらぎのない安定した給電がなされる。
【００２９】
ブラケット５は、図１に示すように、板状のブラケット本体５１の後端側に、支柱１１のフック孔１１ａに係合させ得る係合爪（図示せず）を突出させて設けたもので、支柱１１に取り付けた状態でブラケット本体５１を支柱１１から前方に突出させるようにしている。そして、このブラケット本体５１の突出端側の上端に棚載置面５１ａを設け、この棚載置面５１ａの後方、すなわちブラケット５の基端側の上端に横架材３を載置する横架材載置面５１ｂを設けている。横架材載置面５１ｂは、棚載置面５１ａの後方位置に窪ませて設けた凹所５１ｃ内に形成されており、凹所５１ｃの前後寸法は前記横架材３の前後寸法に略対応し、深さは前記横架材３の端部領域Ｘを構成する第１部材３１の一部を挿入する寸法に設定されている。
【００３０】
反射ユニット６は、図１、図４等に示すように、略三角柱状の反射部６１と、前記棚板２の両端側と前記反射部６１の両端側とを挟み込むようにして設けられる一対の支持部６２と、これら反射部６１と支持部６２との間に設けられ且つ前記反射部６１を三角柱の軸芯回りに回動可能に支持する回動支持部６３と、前記反射部６１の反棚板２側をカバーするカバー部６４とを備えてなる。以下、各部を詳述する。
【００３１】
反射部６１は、発光体４１に対面していない棚板２の光源非対面木口面たる前端面２１ｂ１から漏れ出る光Ｊ１を反射させるべく、その前端面２１ｂ１と対向させて配されるものであって、図１、図４に示すように、各三角柱面それぞれに対応させて、平面形状の反射面６１１と、凸面形状の反射面６１２と、凹面形状の反射面６１３との３つの反射面を具備している。
【００３２】
支持部６２は、図１、図４に示すように、板金素材を塑性変形加工等により形成したものであって、対向する上片部６２１ａ及び下片部６２１ｂとこれらの間に設けられる中間片部６２１ｃとを有する断面視略コ字状のスライド部６２１と、前記中間片部６２１ｃから連続して延びる舌片状の舌片部６２２とを備えてなる。そして、スライド部６２１の上片部６２１ａと下片部６２１ｂとは、これら上片部６２１ａと下片部６２１ｂとの間に形成される開口６２ｘを狭める方向にそれぞれ突出する側面視略矩形状の突出要素６２１ｘを、その開口端側に各々備えている。また、上片部６２１ａの突出要素６２１ｘと下片部６２１ｂの突出要素６２１ｘとの間の寸法６２ａ（図４参照）は、前記棚板２の厚み寸法よりも若干大きく構成してあり、これら上片部６２１ａ及び下片部６２１ｂと中間片部６２１ｃとの間で棚板２の側縁部２ｃを挟持しながらその側縁部２ｃをスライド移動し得るように、その棚板２に対して取り付けられる。しかして、このスライド部６２１を棚板２の前方又は後方のいずれにスライド移動させても、スライド部６２１の中間片部６２１ｃは、棚板２の光源非対面木口面たる側端面２１ｃ１の少なくとも一部を隠蔽する状態を保つこととなる。舌片部６２２の先端は、後述するカバー部６４のＵ字状の部分と略対応する形状を有するものである。そして、後述する回動支持部６３を回動可能に支持する支持孔６２２ａを、その厚み方向に貫通させて形成してある。
【００３３】
回動支持部６３は、図１、図４に示すように、軸状のものであって、一端側を反射部６１の端部に固着されてなり、他端側を支持部６２の支持孔６２２ａに回動可能に支持されてなる。
【００３４】
すなわち、この回動支持部６３を回動中心として反射部６１を回動し、３つの反射面６１１〜６１３の中から、棚板２の前端面２１ｂ１に対向させる反射面を選択すれば、選択した反射面を利用して漏れ出る光Ｊ１を反射することができる。このとき、回動する角度を調整すれば、その反射面の向きを、棚板２の上方及び下方の両方に向けることができる。
【００３５】
カバー部６４は、図１、図４に示すように、板金素材を塑性変形加工等により断面視略Ｕ字状を成すように形成したものであって、その開口を棚板２に向けて配すると共に、その両端をスライド部６２１の先端部間に固定してある。また、図４に示すように、開口幅６４ａを、反射部６１の厚みと略一致させており、これにより、反射部６１を、棚板２の略同一面内における反棚板２側から見た場合、反射部６１は、このカバー部６４によって略隠蔽される状態となる。
【００３６】
以下、発光棚装置Ｚの使用方法を以下に説明する。
【００３７】
（１）棚板２に載置している物品Ｐを、漏れ出る光Ｊ１により照射する場合。
【００３８】
図４に示すように、反射部６１の平面形状の反射面６１１を、棚板２の前端面２１ｂ１に対向させればよい。そうすると、棚板２の前端面２１ｂ１から漏れ出る光Ｊ１は、反射部６１の平板形状の反射面６１１に反射して、棚面２ｕに載置している物品Ｐに照射する。このようにして、平面形状の反射面６１１に反射した光Ｊ２は、棚面２ｕから放射される光と異なる方向から物品Ｐを照射するので、物品Ｐを、逆光を受けたときの状態になることを大幅に抑制しながら、明るく照射する。
【００３９】
なお、物品Ｐの低い位置を照射する場合には、反射部６１を、回動支持部６３を回動中心に、図中における反時計回りに若干回転させればよいし、また、高い位置を照射する場合には、同様に、図中における時計回りに若干回転させればよい。
【００４０】
（２）棚板２の上方及び下方を、漏れ出る光Ｊ１により同時に照射する場合。
【００４１】
この場合には、図５に示すように、反射部６１の凸面形状の反射面６１２を、棚板２の前端面２１ｂ１に対向させればよい。このようにすれば、棚板２の前端面２１ｂ１から漏れ出る光Ｊ１が、凸面形状の反射面６１２で散光されて、棚板２の上方及び下方を同時に照射する。
【００４２】
（３）棚板２に載置した比較的小さな物品Ｐを、漏れ出る光Ｊ１により照射する場合。
【００４３】
この場合には、図６に示すように、反射部６１の凹面形状の反射面６１３を、棚板２の前端面２１ｂ１に対向させればよい。このようにすれば、棚板２の前端面２１ｂ１から漏れ出る光Ｊ１が、凹面形状の反射面６１３で集光されて、物品Ｐを照射する。
【００４４】
（４）（２）の場合よりもさらに広範囲を、漏れ出る光Ｊ１により照射する場合。
【００４５】
この場合には、図７に示すように、反射部６１を正規の取付位置から反棚板２側にスライド移動させ、且つ、（２）と同様に、反射部６１の凸面形状の反射面６１２を、棚板２の前端面２１ｂ１に対向させればよい。このようにすれば、棚板２の前端面２１ｂ１と反射部６１の凸面形状の反射面６１２との距離が広がるので、（２）の場合よりもさらに広範囲を、漏れ出る光Ｊ１により照射することができる。
【００４６】
このように、本実施形態に係る発光棚装置Ｚによれば、前端面２１ｂ１から漏れ出る光Ｊ１は、反射面で反射されるため、その漏れ出る光Ｊ１で眩しくなることを抑制できる。そして、反射面を棚板２に支持している物品Ｐに対して向ければ、物品Ｐに対して照射される光が増えるだけでなく、棚面２ｕから放射される光と異なる方向から照射されるので、逆光を受けたときの状態になることを大幅に抑制できる。すなわち、漏れ出る光Ｊ１を遮るためにのみ用いるような部材（例えば遮光テープ）を不必要としながらも、漏れ出る光Ｊ１で眩しくなることを抑制できる上、物品Ｐに対して照射される光を増やしてその物品Ｐが逆光を受けたときの状態になることを好適に抑制しつつ、物品Ｐを有効に照明することができるといった、優れた発光棚装置Ｚを提供することができる。
【００４７】
また、平面形状の反射面６１１と、凸面形状の反射面６１２と、凹面形状の反射面６１３との３つの反射面の中から選択した反射面により、前記漏れ出る光Ｊ１を反射するように構成しているので、漏れ出る光Ｊ１を様々な態様で、物品Ｐに対して照射することができ、物品Ｐのライトアップに有用である。
【００４８】
また、３つの反射面６１１〜６１３を、各三角柱面それぞれに対応させて設けた略三角柱状の反射部６１と、この反射部６１を、三角柱の軸芯回りに回動可能に支持する回動支持部６３とを備え、前記反射部６１を前記回動支持部６３の回動軸回りに回動させて、漏れ出る光Ｊ１を反射する反射面を選択するようにしているので、簡単な構成でありながらも、漏れ出る光Ｊ１を様々な態様で、物品Ｐに対して照射することができる。
【００４９】
また、前記反射面を設けた反射部６１と前記棚板２との間に介在し、前記反射部６１を、前記前端面２１ｂ１に対してスライド移動可能に支持する支持部６２を具備しているので、漏れ出る光Ｊ１を、物品Ｐに近い位置から照射したり遠い位置から照射することができる。
【００５０】
また、  前記支持部６２が、側端面２１ｃ１の少なくとも一部を隠蔽しつつ前記棚板２の縁部を挟持しながら、その縁部をスライド移動する断面視略コ字状のスライド部６２１を備えているので、スライド移動を具体的に実現しつつ、側端面２１ｃ１から無用に漏れ出る光Ｊ１を遮ることができる。
【００５１】
さらに、前記反射面を設けた反射部６１と、この反射部６１の反棚板２側をカバーするカバー部６４とを具備しているので、漏れ出る光Ｊ１のうち、反射面で反射されない光で無用に眩しくなることを防ぐことができる。
【００５２】
また、前記反射面の向きを、前記棚板２の上方及び下方のうち少なくとも一方に向け得るように構成しているもので、光源非対面木口面から漏れ出る光Ｊ１を、棚板２の棚面２ｕに載置している物品Ｐや、棚板２の下側に吊るした物品Ｐに対して反射面で反射して照射することもできる。
【００５３】
なお、本発明は、以上に詳述した実施形態に限られるものではない。
【００５４】
例えば、反射部６１に異なる形状の３つの反射面を設けているが、反射面の数やその形状も本実施形態のものに限られない。
【００５５】
また、反射部６１を略三角柱状のものとしているが、平板状のものとする等、本実施形態のものに限られない。
【００５６】
また、棚板２を、平面視矩形状のものとしているが、例えば、平面視略楕円形状のものや平面視略円形状のものを採用するなど、棚板２の形状は、適宜変更可能である。
【００５７】
また、支持部６２の棚板２への取付方法も本実施形態のものに限られない。
【００５８】
さらに、図８に示すように、上下に配した各棚板２のうち、上側の棚板２に対して設けた反射面で反射する反射光Ｊ２が、下側の棚板２に載置する物品Ｐに対して照射されるように、上側の棚板２に対して設けた反射面の向きを変更可能に構成すれば、漏れ出る光Ｊ１を有効に利用して、物品Ｐをより明るく照明することができる。
【００５９】
その他、各部の具体的構成についても上記実施形態に限られるものではなく、本発明の趣旨を逸脱しない範囲で種々変形が可能である。
【図面の簡単な説明】
【００６０】
【図１】本発明の一実施形態に係る発光棚装置の部分分解斜視図。
【図２】同実施形態における導光板の構成を示す概略的な説明図。
【図３】同実施形態における横架材の構成を示す拡大横断面図。
【図４】同実施形態における反射部及び棚板等を示す要部平面図と要部断面図。
【図５】同実施形態における反射部及び棚板等を示す要部断面図。
【図６】同実施形態における反射部及び棚板等を示す要部断面図。
【図７】同実施形態における反射部及び棚板等を示す要部断面図。
【図８】本発明の他の実施形態に係る反射部及び棚板等を示す要部断面図。
【符号の説明】
【００６１】
２・・・・・・棚板
２ａ・・・・・棚板２の縁部（後縁部）
２ｂ・・・・・棚板２の縁部（前縁部）
２ｃ・・・・・棚板２の縁部（側縁部）
２ｕ・・・・・棚面
２１ａ１・・・光源対面木口面（後端面）
２１ｂ１・・・光源非対面木口面（前端面）
２１ｃ１・・・光源非対面木口面（側端面）
４１・・・・・光源（発光体）
６１・・・・・反射部
６２・・・・・支持部
６３・・・・・回動支持部
６４・・・・・カバー部
６１１・・・・平面形状の反射面
６１２・・・・凸面形状の反射面
６１３・・・・凹面形状の反射面
６２１・・・・スライド部
Ｐ・・・・・・物品
Ｊ１・・・・・漏れ出る光
Ｊ２・・・・・反射光
Ｚ・・・・・・発光棚装置
【図１】
2006073384.tif 000003
【図２】
2006073384.tif 000004
【図３】
2006073384.tif 000005
【図４】
2006073384.tif 000006
【図５】
2006073384.tif 000007
【図６】
2006073384.tif 000008
【図７】
2006073384.tif 000009
【図８】
2006073384.tif 000010